(57)【特許請求の範囲】
【請求項１】
記録すべき記録情報を記録媒体に記録する際の当該記録媒体の移動速度を制御するための移動制御情報が、前記記録媒体上の前記記録情報が記録されるべき情報トラックを当該移動制御情報に対応した周波数でウォブリングさせることにより少なくとも記録されていると共に、前記記録媒体に対する情報の記録のための記録制御情報が、前記情報トラックに隣接する隣接トラック上にピットを形成することにより予め記録されている記録媒体に対して前記記録情報を記録する情報記録装置であって、
前記情報トラックに対して前記隣接トラックの一部にも照射されるように光ビームを照射し、当該光ビームの反射光に基づいて再生信号を出力するピックアップ手段と、
前記出力された再生信号から前記移動制御情報のみを抽出する情報抽出手段と、
前記抽出された移動制御情報に基づいて、前記記録媒体の移動速度を制御する移動制御手段と、
移動する前記記録媒体に対して前記記録情報を記録する記録手段と、
を備え、
前記情報抽出手段は、更に、
前記再生信号から当該再生信号に含まれる前記記録制御情報に対応する信号を除去する制限レベルを有する制限信号を生成する生成手段と、
前記生成された制限信号に基づいて前記再生信号のレベルを制限し、制限再生信号を出力する制限手段と、
前記出力された制限再生信号から前記移動制御情報を抽出する抽出手段と、
を備えることを特徴とする情報記録装置。
【請求項２】
請求項１に記載の情報記録装置において、前記出力された再生信号に基づいて、当該再生信号に対応して予め設定されたレベル範囲を越えたレベルを有する雑音再生信号が出力されたことを検出して検出信号を出力する検出手段と、前記検出信号が出力されたとき、前記雑音再生信号が出力される前の前記再生信号である前再生信号を前記再生信号として前記情報抽出手段に出力する出力手段と、を更に備えることを特徴とする情報記録装置。
【請求項３】
請求項１、又は２に記載の情報記録装置において、前記記録制御情報は、前記記録情報を記録すべき前記記録媒体上の位置を示す記録位置情報を少なくとも含んでいることを特徴とする情報記録装置。
【請求項４】
請求項１から３のいずれか一項に記載の情報記録装置において、前記記録媒体は円盤状記録媒体であると共に、前記記録情報の記録時において当該円盤状記録媒体を回転させる回転手段を更に備え、前記移動制御情報は、前記円盤状記録媒体の回転数を制御するための回転制御情報であることを特徴とする情報記録装置。
【発明の詳細な説明】
【０００１】
【発明の属する技術分野】
本発明は、従来のＣＤ（Compact Disk）等よりも記録密度を飛躍的に向上させたＤＶＤに代表される高密度記録媒体のうち、追記可能なＷＯ（Write Once）型の記録媒体（以下、ＤＶＤ−Ｒ（DVD-Recordable）という。）において、画像情報等の記録情報の記録時の位置検索等に必要なアドレス情報又は同期信号（以下、プリ情報という。）或はＤＶＤーＲの回転制御のための回転制御情報が予め記録されたＤＶＤーＲから当該プリ情報を再生して本来記録すべき上記記録情報を記録するための情報記録装置の技術分野に関する。
【０００２】
【従来の技術】
従来、上述のような、プリ情報が予め記録されており当該プリ情報に基づいて情報が追記可能な記録媒体としては、ＣＤと同程度の記録容量を備える光ディスクであるＣＤ−Ｒ（CD-Recordable ）が知られている。
【０００３】
そして、当該ＣＤ−Ｒにおいては、予めＣＤ−Ｒの製造時のプリフォーマットの段階で、記録情報を記録する情報トラック（グルーブトラック又はランドトラック）を、記録すべきプリ情報を予めＦＭ（Frequency Moduration）変調した信号に対応する周波数で波型にウォブリングさせることにより当該プリ情報が記録されていた。
【０００４】
また、従来のＣＤ−Ｒに対して実際に記録情報を記録する際には、当該ウォブリングされているトラックのウォブリング周波数を検出し、これに基づいてＣＤ−Ｒを回転制御するための基準クロックを抽出し、当該抽出した基準クロックに基づいてＣＤ−Ｒを回転させるスピンドルモータを回転制御するための駆動信号を生成していた。
【０００５】
更に、記録情報の記録時に必要なＣＤ−Ｒ上のアドレスを示す上記アドレス情報については、上記記録情報の記録時に上記プリ情報を再生し、これに基づいて記録すべき位置を検出して記録情報を記録していた。
【０００６】
一方、近年開発されている上記ＤＶＤーＲにおいては、当該ＤＶＤーＲにおける情報トラック（例えば、グルーブトラック）を上記基準クロックに基づいた周波数でウォブリングさせて上記回転制御情報が記録されていると共に、これに加えて、上記プリ情報が二つの上記情報トラックの間にあるトラック（例えば、ランドトラック）に当該プリ情報に対応するプリピットを形成することによって記録されている。
【０００７】
【発明が解決しようとする課題】
しかしながら、上記ＤＶＤーＲに記録情報を記録する際に、光ビームを上記情報トラックに照射して当該情報トラックのウォブリング周波数成分を含む信号（以下、ウォブリング信号という。）を検出しようすると、当該情報トラックに隣接するトラック上の上記プリピットに対しても上記光ビームの一部が照射されることに起因して、当該プリピットに対応する信号が情報トラックから検出したウォブリング信号に混入し、品質の良いウォブリング信号が検出できないという問題点があった。
【０００８】
更に、上記プリピットに対応する信号自体がインパルス特性（全周波数帯域に渡って一様に信号が分布している特性）を備えるため、単純なフィルタ手段だけでは当該プリピットに対応する信号を除去できないという問題点もある。
【０００９】
そこで、本発明は、上記問題点に鑑みて成されたもので、その課題は、プリピットによりプリ情報が記録されていると共に上記ウォブリング信号が記録されているＤＶＤ−Ｒに記録情報を記録する場合であって、ウォブリング信号を確実且つ正確に検出しつつ記録動作を制御して記録情報を正確に記録することが可能な情報記録装置を提供することにある。
【００１０】
【課題を解決するための手段】
上記の課題を解決するために、請求項１に記載の発明は、記録すべき記録情報を記録媒体に記録する際の当該記録媒体の移動速度を制御するための移動制御情報が、前記記録媒体上の前記記録情報が記録されるべき情報トラックを当該移動制御情報に対応した周波数でウォブリングさせることにより少なくとも記録されていると共に、前記記録媒体に対する情報の記録のための記録制御情報が、前記情報トラックに隣接する隣接トラック上にピットを形成することにより予め記録されている記録媒体に対して前記記録情報を記録する情報記録装置であって、前記情報トラックに対して前記隣接トラックの一部にも照射されるように光ビームを照射し、当該光ビームの反射光に基づいて再生信号を出力するピックアップ手段と、前記出力された再生信号から前記移動制御情報のみを抽出する情報抽出手段と、前記抽出された移動制御情報に基づいて、前記記録媒体の移動速度を制御する移動制御手段と、移動する前記記録媒体に対して前記記録情報を記録する記録手段と、を備え、前記情報抽出手段は、更に、前記再生信号から当該再生信号に含まれる前記記録制御情報に対応する信号を除去する制限レベルを有する制限信号を生成する生成手段と、前記生成された制限信号に基づいて前記再生信号のレベルを制限し、制限再生信号を出力する制限手段と、前記出力された制限再生信号から前記移動制御情報を抽出する抽出手段と、を備える。
【００１１】
請求項１に記載の発明の作用によれば、ピックアップ手段は、情報トラック及び隣接トラックに対して光ビームを同時に照射し、当該光ビームの情報トラック及び隣接トラックからの反射光に基づいて再生信号を出力する。
【００１２】
そして、情報抽出手段は、出力された再生信号から移動制御情報のみを抽出する。
【００１３】
その後、移動制御手段は、抽出された移動制御情報に基づいて、記録媒体の移動速度を制御する。
【００１４】
これにより、記録手段は、移動する記録媒体に対して記録情報を記録する。
【００１５】
よって、再生信号から移動制御情報のみを抽出して記録情報の記録を行うので、隣接トラック上に記録制御情報が記録されている記録媒体であっても、正確に抽出された移動制御情報に基づいて記録情報の記録を行うことができる。
【００１７】
また、上記作用に加えて、情報抽出手段に含まれる生成手段は、当該再生信号から記録制御情報に対応する信号を除去する制限レベルを有する制限信号を生成する。
【００１８】
そして、情報抽出手段に含まれる制限手段は、生成された制限信号に基づいて再生信号のレベルを制限し、制限再生信号を出力する
その後、情報抽出手段に含まれる抽出手段は、出力された制限再生信号から移動制御情報を抽出する。
【００１９】
よって、制限信号を用いて再生信号のレベルを制限することにより当該再生信号から記録制御情報に対応する信号を除去し、移動制御情報のみを抽出して記録情報の記録を行うので、確実に移動制御情報を抽出することができる。
【００２０】
上記の課題を解決するために、請求項２に記載の発明は、請求項１に記載の情報記録装置において、前記出力された再生信号に基づいて、当該再生信号に対応して予め設定されたレベル範囲を越えたレベルを有する雑音再生信号が出力されたことを検出して検出信号を出力するディフェクト検出部等の検出手段と、前記検出信号が出力されたとき、前記雑音再生信号が出力される前の前記再生信号である前再生信号を前記再生信号として前記情報抽出手段に出力するスイッチ等の出力手段と、を更に備える。
【００２１】
請求項２に記載の発明の作用によれば、請求項１に記載の発明の作用に加えて、検出手段は、出力された再生信号に基づいて、雑音再生信号が出力されたことを検出して検出信号を出力するそして、出力手段は、検出信号が出力されたとき、前再生信号を再生信号として情報抽出手段に出力する。
【００２２】
よって、雑音再生信号がピックアップ手段から出力されたとき、前再生信号を再生信号として情報抽出手段に出力するので、正確な移動制御情報の検出が雑音再生信号により影響を受けることを防止できる。
【００２３】
上記の課題を解決するために、請求項３に記載の発明は、請求項１、又は２に記載の情報記録装置において、前記記録制御情報は、前記記録情報を記録すべき前記記録媒体上の位置を示すアドレス情報等の記録位置情報を少なくとも含んで構成される。
【００２４】
請求項３に記載の発明の作用によれば、請求項１、又は２に記載の発明の作用に加えて、記録制御情報が、記録位置情報を少なくとも含んでいるので、記録情報の記録時に、記録媒体の移動速度を正確に制御して記録することができると共に、記録情報を記録すべき記録媒体上の位置を正確に認識して記録することができる。
【００２５】
上記の課題を解決するために、請求項４に記載の発明は、請求項１から３のいずれか一項に記載の情報記録装置において、前記記録媒体はＤＶＤ−Ｒ等の円盤状記録媒体であると共に、前記記録情報の記録時において当該円盤状記録媒体を回転させるスピンドルモータ等の回転手段を更に備え、前記移動制御情報は、前記円盤状記録媒体の回転数を制御するための回転制御情報であるように構成される。
【００２６】
請求項４に記載の発明の作用によれば、請求項１から３のいずれか一項に記載の発明の作用に加えて、記録媒体が円盤状記録媒体であると共に、回転手段は記録情報の記録時において当該円盤状記録媒体を回転させる。
【００２７】
このとき、移動制御情報は円盤状記録媒体の回転数を制御するための回転制御情報とされている。
【００２８】
よって、記録情報の記録時において、円盤状記録媒体の回転を正確に制御しつつ記録することができる。
【００２９】
【発明の実施の形態】
次に本発明に好適な実施の形態について図面に基づいて説明する。
【００３０】
（Ｉ）記録媒体の実施形態
初めに、記録制御情報としてのプリ情報に対応したプリピットを形成すると共に後述のグルーブトラックを所定の周波数でウォブリングさせて回転制御情報を記録した記録媒体としてのＤＶＤ−Ｒの実施形態について図１及び図２を用いて説明する。
【００３１】
初めに、図１を用いて本実施形態のＤＶＤ−Ｒの構造について説明する。
【００３２】
図１において、ＤＶＤ−Ｒ１は色素膜５を備えた一回のみ情報の書込みが可能な色素型ＤＶＤ−Ｒであり、情報トラックとしてのグルーブトラック２と当該グルーブトラック２に再生光又は記録光としてのレーザビーム等の光ビームＢを誘導するための隣接トラックとしてのランドトラック３が形成されている。また、それらを保護するための保護膜７及び記録された情報を再生する際に光ビームＢを反射するための金蒸着面６を備えている。そして、このランドトラック３にプリ情報に対応するプリピット４が形成されている。このプリピット４はＤＶＤ−Ｒ１を出荷する前に予め形成されているものである。
【００３３】
更に、当該ＤＶＤ−Ｒ１においては、グルーブトラック２を当該ＤＶＤ−Ｒ１の回転速度に対応する周波数でウォブリングさせている。このグルーブトラック２のウォブリングによる回転制御情報の記録は、上記プリピット４と同様に、ＤＶＤ−Ｒ１を出荷する前に予め実行されるものである。
【００３４】
そして、ＤＶＤ−Ｒ１に記録情報（プリ情報及び回転制御情報以外の本来記録すべき画像情報等の情報をいう。以下同じ。）を記録する際には、後述の情報記録装置においてグルーブトラック２のウォブリングの周波数を検出することにより回転制御情報を取得してＤＶＤ−Ｒ１を所定の回転速度で回転制御すると共に、プリピット４を検出することにより、予めプリ情報を取得し、それに基づいて記録光としての光ビームＢの最適出力等が設定されると共に、記録情報を記録すべきＤＶＤ−Ｒ１上の位置であるアドレス情報等が取得され、このアドレス情報に基づいて記録情報が対応する記録位置に記録される。
【００３５】
ここで、記録情報の記録時には、光ビームＢをその中心がグルーブトラック２の中心と一致するように照射してグルーブトラック２上に記録情報に対応する記録情報ピットを形成することにより記録情報を形成する。この時、光スポットＳＰの大きさは、図１に示すように、その一部がグルーブトラック２だけでなくランドトラック３にも照射されるように設定される。そして、このランドトラック３に照射された光スポットＳＰの一部の反射光を用いてプッシュプル法（ＤＶＤ−Ｒ１の回転方向に平行な分割線により分割された光検出器を用いたプッシュプル法（以下、ラジアルプッシュプル方式という。））によりプリピット４からプリ情報を検出して当該プリ情報が取得されると共に、グルーブトラック２に照射されている光スポットＳＰの反射光を用いてグルーブトラック２からウォブリング信号が検出されて回転制御用のクロック信号が取得される。
【００３６】
次に、本実施形態のＤＶＤ−Ｒ１に予め記録されているプリ情報及び回転制御情報の記録フォーマットについて、図２を用いて説明する。なお、図２において、上段は記録情報における記録フォーマットを示し、下段の波型波形は当該記録情報を記録するグルーブトラック２のウォブリング状態（グルーブトラック２の平面図）を示し、記録情報とグルーブトラック２のウォブリング状態の間の上向き矢印は、プリピット４が形成される位置を模式的に示すものである。ここで、図２においては、グルーブトラック２のウォブリング状態は、理解の容易のため実際の振幅よりも大きい振幅を用いて示してあり、記録情報は当該グルーブトラック２の中心線上に記録される。
【００３７】
図２に示すように、本実施形態においてＤＶＤ−Ｒ１に記録される記録情報は、予め情報単位としてのシンクフレーム毎に分割されている。そして、２６のシンクフレームにより一のレコーディングセクタが形成され、更に、１６のレコーディングセクタにより一のＥＣＣ（Error Correcting Code ）ブロックが形成される。なお、一のシンクフレームは、上記記録情報を記録する際の記録フォーマットにより規定されるビット間隔に対応する単位長さ（以下、Ｔという。）の１４８８倍（１４８８Ｔ）の長さを有しており、更に、一のシンクフレームの先頭の１４Ｔの長さの部分にはシンクフレーム毎の同期を取るための同期情報ＳＹが記録される。
【００３８】
一方、本実施形態においてＤＶＤ−Ｒ１に記録されるプリ情報は、シンクフレーム毎に記録される。ここで、プリピット４によるプリ情報の記録においては、記録情報における夫々のシンクフレームにおける同期情報ＳＹが記録される領域に隣接するランドトラック３上にプリ情報における同期信号を示すものとして必ず一のプリピット４が形成されると共に、当該同期情報ＳＹ以外の当該シンクフレーム内の前半部分に隣接するランドトラック３上に記録すべきプリ情報の内容（アドレス情報）を示すものとして二又は一のプリピット４が形成される（なお、同期情報ＳＹ以外の当該シンクフレーム内の前半部分については、記録すべきプリ情報の内容によってはプリピット４が形成されない場合もある。）。この際、本実施形態においては、一のレコーディングセクタにおいては、偶数番目のシンクフレーム（以下、ＥＶＥＮフレームという。）のみ又は奇数番目のシンクフレーム（以下、ＯＤＤフレームという。）のみにプリピット４が形成されてプリ情報が記録される。すなわち、図２において、ＥＶＥＮフレームにプリピット４が形成された場合には（図２において実線上向き矢印で示す。）それに隣接するＯＤＤフレームにはプリピット４は形成されない。
【００３９】
一方、グルーブトラック２は、全てのシンクフレームに渡って１４０ｋＨｚ（一のシンクフレームが８波に相当する周波数）の一定ウォブリング周波数ｆ0でウォブリングされている。そして、後述の情報記録装置において、当該一定のウォブリング周波数ｆ0 を検出することでスピンドルモータの回転制御のための信号が検出される。
【００４０】
（II）情報記録装置の第１実施形態
次に、本発明に係る情報記録装置の第１の実施の形態について、図３乃至図６に基づいて説明する。なお、以下の説明は、ホストコンピュータから送信されてくるディジタル情報を上記ＤＶＤ−Ｒ１に対して記録するための情報記録装置について本発明を適用した実施の形態を説明するものである。
【００４１】
始めに、本実施形態に係る情報記録装置の全体構成及び動作について、図３を用いて説明する。なお、以下の実施の形態では、ＤＶＤ−Ｒ１には、当該ＤＶＤ−Ｒ１上のアドレス情報等を含む上記プリピット４及びウォブリングするグルーブトラック２が予め形成されており、ディジタル情報の記録時には、当該プリピット４を予め検出することによりＤＶＤ−Ｒ１上のアドレス情報を得、これによりディジタル情報を記録するＤＶＤ−Ｒ１上の記録位置を検出して記録するものとする。
【００４２】
図３に示すように、実施形態の情報記録装置Ｓは、ピックアップ手段、記録手段としてのピックアップ１０と、再生増幅器１１と、デコーダ１２と、プリピット信号デコーダ１３と、回転手段としてのスピンドルモータ１４と、移動制御手段としてのサーボ回路１５と、プロセッサ１６と、エンコーダ１７と、パワー制御回路１８と、レーザ駆動回路１９と、インターフェース２０と、情報抽出手段としてのウォブリング信号抽出部２２とにより構成されている。また、当該情報記録装置Ｓには、外部のホストコンピュータ２１から記録すべきディジタル情報ＳRRがインターフェース２０を介して入力されている。
【００４３】
次に、全体の動作を説明する。
【００４４】
ピックアップ１０は、図示しないレーザダイオード、偏向ビームスプリッタ、対物レンズ、光検出器等を含み、レーザ駆動信号ＳDLに基づいて光ビームＢをＤＶＤ−Ｒ１の情報記録面に照射し、その反射光に基づいてラジアルプッシュプル方式により上記プリピット４及びグルーブトラック２のウォブリング周波数を検出して記録すべきディジタル情報ＳRRを記録すると共に、既に記録されているディジタル情報がある場合には、上記光ビームＢの反射光に基づいて当該既に記録されているディジタル情報を検出する。
【００４５】
そして、再生増幅器１１は、ピックアップ１０から出力されたプリピット４及びグルーブトラック２のウォブリング周波数に対応する情報を含む検出信号ＳDTを増幅し、プリピット４及びグルーブトラック２のウォブリング周波数に対応するプリ情報信号ＳPPを出力すると共に、既に記録されているディジタル情報に対応する増幅信号ＳPを出力する。
【００４６】
その後、デコーダ１２は、増幅信号ＳPに対して８−１６復調及びデインターリーブを施すことにより当該増幅信号ＳPをデコードし、復調信号ＳDM及びサーボ復調信号ＳSDを出力する。
【００４７】
一方、プリピット信号デコーダ１３は、プリ情報信号ＳPPに含まれるプリピット４を検出することにより得られる信号のみを抽出してこれをデコードし、対応する復調プリピット信号ＳPDを出力する。
【００４８】
そして、サーボ回路１５は、復調プリピット信号ＳPD及びサーボ復調信号ＳSDに基づいて、ピックアップ１０におけるフォーカスサーボ制御及びトラッキングサーボ制御のためのピックアップサーボ信号ＳSPを出力する。更に、サーボ回路１５は、後述の抽出信号ＳDTTに基づいて、当該抽出信号ＳDTTに含まれている上記ウォブリング周波数ｆ0に対応する情報を用いてスピンドルサーボ制御信号ＳSSを出力してスピンドルモータ１４の回転をサーボ制御する。
【００４９】
一方、インターフェース２０は、プロセッサ１６の制御の下、ホストコンピュータ２１から送信されてくるディジタル情報ＳRRに対して、これを情報記録装置Ｓに取り込むためのインターフェース動作を行い、当該ディジタル情報ＳRRをエンコーダ１７に出力する。
【００５０】
そして、エンコーダ１７は、図示しないＥＣＣジェネレータ、８−１６変調部、スクランブラ等を含み、ディジタル情報ＳRRに基づいて、再生時のエラー訂正を行う単位である上記ＥＣＣブロックを構成すると共に、当該ＥＣＣブロックに対してインターリーブ及び８−１６変調並びにスクランブル処理を施し、変調信号ＳREを生成する。
【００５１】
その後、パワー制御回路１８は、変調信号ＳREに基づいて、ピックアップ１０内の図示しないレーザダイオードの出力を制御するための記録信号ＳDを出力する。
【００５２】
更にレーザ駆動回路１９は、記録信号ＳDに基づいて、実際に上記レーザダイオードを駆動して光ビームＢを出射させるための上記レーザ駆動信号ＳDLを出力する。
【００５３】
一方、ウォブリング信号抽出部２２は、プリ情報信号ＳPPに含まれるグルーブトラック２のウォブリング周波数のみを抽出し、上記抽出信号ＳDTTをサーボ回路１５に出力する。
【００５４】
最後に、プロセッサ１６は、入力される上記復調プリピット信号ＳPDを用いてプリ情報を取得し、当該プリ情報に含まれているアドレス情報に対応するＤＶＤ−Ｒ１上の位置に対応するディジタル情報ＳRRを記録する動作を制御する。これらと並行して、プロセッサ１６は、復調信号ＳDMに基づいて既に記録されていたディジタル情報に対応する再生信号ＳOTを外部に出力すると共に、情報記録装置Ｓ全体を主として制御する。
【００５５】
なお、上記の情報記録装置Ｓは、ＤＶＤ−Ｒ１に記録されている情報を再生することも可能であり、その際には、復調信号ＳDMに基づいてプロセッサ１６を介して上記再生信号ＳOTが外部に出力されることとなる。
【００５６】
次に、本発明に係るウォブリング信号抽出部２２の細部構成について、図４及び図５を用いて説明する。
【００５７】
図４（ａ）に示すように、上記ウォブリング信号抽出部２２は、上記プリ情報信号ＳPP（グルーブトラック２のウォブリング周波数に対応する信号にプリピット４に対応する信号が重畳されている。）に基づいて、当該プリ情報信号ＳPPの変化に対応して変化すると共に、プリ情報信号ＳPPの振幅変動を制限して当該プリ情報信号ＳPPから上記プリピット４に対応する信号を除去するための上側リミット信号ＳUL及び下側リミット信号ＳWLを生成する生成手段としてのリミットレベル生成器２５と、リミットレベル生成器２５からの上側リミット信号ＳUL及び下側リミット信号ＳWLを用いてプリ情報信号ＳPPの振幅変動を制限し、制限プリ情報信号ＳPLを出力する制限手段としてのリミッタ２６と、制限プリ情報信号ＳPLから当該制限プリ情報信号ＳPLに含まれている高周波成分を除去し、上記グルーブトラック２のウォブリング周波数に対応するウォブリング信号ＳBを出力する抽出手段としてのＢＰＦ（Band Pass Filter）２７と、ウォブリング信号ＳBを二値化して上記抽出信号ＳDTTを出力する２値化器２８と、により構成されている。
【００５８】
更に、図４（ｂ）に示すように、リミットレベル生成器２５は、プリ情報信号ＳPPの低周波成分のみを抽出するＬＰＦ（Low Pass Filter）３０と、抽出されたプリ情報信号ＳPPの低周波成分の振幅（レベル）を、そのレベルが高くなるように所定量シフトさせて上記上側リミット信号ＳULを出力する上側レベルシフト回路３１と、抽出されたプリ情報信号ＳPPの低周波成分の振幅（レベル）を、そのレベルが低くなるように所定量シフトさせて上記下側リミット信号ＳWLを出力する下側レベルシフト回路３２と、により構成されている。
【００５９】
また、ＬＰＦ３０は、プリ情報信号ＳPPから高周波成分を除去してグルーブトラック２のウォブリング周波数程度の周波数を有する信号を抽出することができるＬＰＦであれば通常の構成のＬＰＦとすることができ、より具体的には、図５（ａ）に一例を示すように、能動増幅器３０Ａと、抵抗３０Ｃ及び３０Ｄと、コンデンサ３０Ｂ及び３０Ｅにより構成することができる。
【００６０】
また、上側レベルシフト回路３１及び下側レベルシフト回路３２は、より具体的には、例えば、図５（ａ）に一例を示すように、一体的なディスクリート回路として構成される。
【００６１】
すなわち、上側レベルシフト回路３１及び下側レベルシフト回路３２に相当するディスクリート回路は、図５（ａ）に示すように、定電流源を構成するトランジスタ３１Ａ及び３１Ｂと、定電流源を構成するトランジスタ３１Ｆ及び３１Ｇと、バッファ回路及びダイオード回路として動作するトランジスタ３１Ｈ及び３１Ｉと、バッファ回路及びダイオード回路として動作するトランジスタ３１Ｋ及び３１Ｌと、抵抗３１Ｄ、３１Ｅ、３１Ｍ、３１Ｎ及び３１Ｏと、可変抵抗３１Ｃとにより構成される。この構成の内、トランジスタ３１Ａ、３１Ｂ、３１Ｈ及び３１Ｉ等が上側レベルシフト回路３１として機能し、トランジスタ３１Ｆ、３１Ｇ、３１Ｋ及び３１Ｌ等が下側レベルシフト回路３２として機能することとなる。そして、上記上側リミット信号ＳULはトランジスタ３１Ｉのエミッタ信号として得られ、上記下側リミット信号ＳWLはトランジスタ３１Ｌのエミッタ信号として得られる。この時、抵抗３１Ｄ（抵抗値をＲとする。）を流れる電流値をＩ0とし、能動増幅器３０Ａの出力電圧をＶ0とすると、上側リミット信号ＳULの電圧値は、（Ｖ0＋Ｉ0Ｒ）となり、下側リミット信号ＳWLの電圧値は、（Ｖ0−Ｉ0Ｒ）となる。
【００６２】
次に、上記リミッタ２６の構成について、図５（ｂ）を用いて説明すると、当該リミッタ２６は、プリ情報信号ＳPPに対していわゆるバッファとして機能するインピーダンス変換器２６Ａと、抵抗２６Ｂと、上記上側リミット信号ＳUL、下側リミット信号ＳWL及び抵抗２６Ｂの出力信号の合成信号が入力され、上記インピーダンス変換器２６Ａと同様にバッファとして機能して制限プリ情報信号ＳPLを出力するインピーダンス変換器２６Ｃとにより構成されている。
【００６３】
次に、ウォブリング信号抽出部２２の動作について、図６を用いて説明する。
【００６４】
上述のように、ウォブリング信号抽出部２２に入力されるプリ情報信号ＳPPには、図６最上段に示すように、グルーブトラック２のウォブリング周波数に対応する周波数の成分（図６最上段において低周波の脈動成分）の他に、検出時の雑音である高周波成分（図６最上段において高周波の脈動成分）と、上記プリピット４に起因するノイズ信号（図６最上段において符号ＳN1及びＳN2で示されるインパルス成分）が含まれている。この内、図６最上段に示すノイズ信号ＳN1は、プリ情報信号ＳPPを検出したときに光ビームＢが照射されていたグルーブトラック２に隣接するランドトラック３上のプリピット４に起因するノイズ信号であり、図６最上段に示すノイズ信号ＳN2は、当該グルーブトラック２に対して、ノイズ信号ＳN1の原因となったプリピット４が存在するランドトラック３と反対側に位置するランドトラック３上のプリピット４に起因するノイズ信号である。このノイズ信号ＳN1及びＳN2は、上述のように全周波数帯域に渡って一様に信号が分布しているインパルス特性を備えている。
【００６５】
そこで、本発明のウォブリング信号抽出回路２２は、当該プリ情報信号ＳPPをリミットレベル生成器２５に入力させ、当該リミットレベル生成器２５に含まれるＬＰＦ３０、上側レベルシフト回路３１及び下側レベルシフト回路３２により図６上から二段目に示すような所定のレベル幅を相互に有する上側リミット信号ＳULと下側リミット信号ＳWLを生成する。この所定のレベル幅の設定については後述する。
【００６６】
そして、当該上側リミット信号ＳUL及び下側リミット信号ＳWLをリミッタ２６におけるレベル制限用の制限信号として用い、当該リミッタ２６によりプリ情報信号ＳPPのレベルを制限して上記ノイズ信号ＳN1及びＳN2を減衰させ、図６上から三段目に示す制限プリ情報信号ＳPLを生成する。この段階で、上記ノイズ信号ＳN1及びＳN2が減衰させられることとなる。
【００６７】
その後、ノイズ信号ＳN1及びＳN2が減衰された制限プリ情報信号ＳPLがＢＰＦ２７に入力され、高周波成分が除去されてウォブリング信号ＳB（図６上から四段目）が出力され、これが二値化器２８により二値化され、抽出信号ＳDTT（図６最下段）としてサーボ回路１５に出力され、当該抽出信号ＳDTTにおける二値間の遷移の周期を検出することによりスピンドルサーボ制御に供される。
【００６８】
ここで、本実施形態において、上記上側リミット信号ＳUL及び下側リミット信号ＳWLを用いてレベルを制限した後にＢＰＦ２７を用いてウォブリング信号ＳBを得る構成としているのは、上記プリ情報信号ＳPPをそのままＢＰＦ２７に入力したのではノイズ信号ＳN1及びＳN2の広帯域性に起因して当該ノイズ信号ＳN1及びＳN2を十分に除去できないので、上側リミット信号ＳUL及び下側リミット信号ＳWLによりノイズ信号ＳN1及びＳN2のエネルギーを減衰させた後にＢＰＦ２７に入力させる構成としたのである。
【００６９】
次に、上側リミット信号ＳULと下側リミット信号ＳWLにおける上記所定のレベル幅の設定について説明する。
【００７０】
上記本発明のウォブリング信号抽出部２２としての目的、すなわち、上記ノイズ信号ＳN1及びＳN2の除去を達成するためには、理想的には、当該所定のレベル幅は「０」であることが望ましい。すなわち、リミットレベル生成器２５におけるＬＰＦ３０の出力信号をそのまま上側リミット信号ＳUL及び下側リミット信号ＳWLとして用い、当該上側リミット信号ＳUL（＝下側リミット信号ＳWL）によりプリ情報信号ＳPPのレベルを制限したものをＢＰＦ２７に出力することによりノイズ信号ＳN1及びＳN2の影響を低減することができる。
【００７１】
しかしながら、実際には、例えば、図５（ａ）に示すトランジスタ３１Ｉ又は３１Ｌ（ダイオード回路として機能する）の電圧効果間にばらつき等が生じることがあるので、上記一つのリミット信号（上側リミット信号ＳUL又は下側リミット信号ＳWL）を用いてプリ情報信号ＳPPを制限しようとしても結局制限する際に幅が生じてしまうこととなる。
【００７２】
そこで、第１実施形態のウォブリング信号抽出部２２では、当該ばらつき等を吸収するため、積極的に上側リミット信号ＳULと下側リミット信号ＳWLとの間に幅を設定している。この際、当該幅の上限値は、上記ノイズ信号ＳN1又はＳN2のエネルギーが抽出すべきウォブリング信号ＳBのエネルギーの１／１０程度となるように設定される。より具体的には、例えば、スペクトラムアナライザ等を用いてリミッタ２６から出力される制限プリ情報信号ＳPLを測定し、ノイズ信号ＳN1又はＳN2のエネルギー密度スペクトラムがウォブリング信号ＳBのエネルギー密度スペクトラムの１／１０程度となるように可変抵抗３１Ｃの抵抗値が設定される。ここで、１／１０程度という値は、実験的に求められるものであり、ノイズ信号ＳN1又はＳN2のエネルギー密度スペクトラムがこの値以下となるように設定すれば、実質的にノイズ信号ＳN1又はＳN2を抑制できることとなる。
【００７３】
なお、図６に示すプリ情報信号ＳPPは、上記プリピット信号デコーダ１３にも入力されるが、当該プリピット信号デコーダ１３においては、入力されたプリ情報信号ＳPPに対して所定の閾値を設けることにより当該プリ情報信号ＳPPからノイズ信号ＳN1（検出すべきプリピット４に対応している。）のみを抽出し、これに基づいて対応する復調プリピット信号ＳPDを出力する。
【００７４】
以上説明したように、第１実施形態の情報記録装置Ｓによれば、プリ情報信号ＳPPからウォブリング信号ＳBのみを抽出してディジタル情報ＳRRの記録を行うので、ランドトラック３上にプリピット４が形成されているＤＶＤ−Ｒ１であっても、抽出されたウォブリング信号ＳBに基づいてＤＶＤ−Ｒ１の回転速度を正確に制御してディジタル情報ＳRRの記録を行うことができる。
【００７５】
また、上側リミット信号ＳUL及び下側リミット信号ＳWLを用いてプリ情報信号ＳPPのレベルを制限することにより当該プリ情報信号ＳPPからノイズ信号ＳN1及びＳN2を除去するので、確実にウォブリング信号ＳBを抽出することができる。
【００７６】
更にまた、プリ情報信号ＳPPの変化に同期して夫々のリミット信号が変換するので、図６最上段に示すノイズ信号ＳN2（当該ノイズ信号ＳN2はプリ情報信号ＳPPに同期していないプリピット４に起因するノイズ信号であるのでノイズ信号ＳN2自体もプリ情報信号ＳPPに同期しているわけではなく、プリ情報信号ＳPPのいずれの位置に出現するかは予め判明するものではない。）をも確実に抑制することができる。
【００７７】
（III）情報記録装置の第２実施形態
次に、本発明に係る第２の実施形態について、図７及び図８を用いて説明する。なお、図７及び図８において、上記図３乃至図５と同様の部材については、同様の部材番号を付し、細部の説明は省略する。
【００７８】
上述の第１実施形態においては、上側リミット信号ＳULと下側リミット信号ＳWLを用いてプリ情報信号ＳPPからノイズ信号ＳN1及びＳN2を除去するように構成したが、第２実施形態においては、当該ノイズ信号ＳN1及びＳN2の除去に加えて、プリ情報の検出中において生じるいわゆるドロップアウト（信号の欠落）の影響（以下、この影響のことをディフェクトという。）をも低減し得る構成となっている。
【００７９】
図７に示すように、第２実施形態のウォブリング信号抽出部２２’は、上記第１実施形態のウォブリング信号抽出部２２の構成に加えて、ＬＰＦ３０の出力信号であるＬＰＦ信号ＳLPFに基づいて、プリ情報信号ＳPPに雑音再生信号としてのディフェクトが含まれていることを検出し、当該ディフェクトが含まれていたとき“Ｈ”となるディフェクト検出信号ＳDDを出力する検出手段としてのディフェクト検出器３５と、ＬＰＦ信号ＳLPFを保持し、ディフェクト検出信号ＳDDが“Ｈ”となったとき当該保持しているＬＰＦ信号ＳLPFを前値信号ＳBFとしてスイッチ３７に出力する前値ホールド回路３６と、ディフェクト検出信号ＳDDに基づいて、当該ディフェクト検出信号ＳDDが“Ｈ”のとき、前値信号ＳBFをＬＰＦ３０に出力し、ディフェクト検出信号ＳDDが“Ｌ”のときプリ情報信号ＳPPをそのままＬＰＦ３０に出力する出力手段としてのスイッチ３７とにより構成されている。
【００８０】
また、上記ディフェクト検出器３５は、図８（ａ）に示すように、ＬＰＦ信号ＳLPFに対して夫々電圧シフトを施してウインド信号を生成するダイオード４５及び４６と、当該ウインド信号とプリ情報信号ＳPPとを比較するウインドコンパレータ４０及び４１と、ウインドコンパレータ４０及び４１の夫々の出力信号の論理和をディフェクト検出信号ＳDDとして出力するＯＲ回路４７と抵抗４３及び４４とにより構成されている。
【００８１】
更に上記前値ホールド回路３６は、図８（ｂ）に示すように、通常時にオンとなり、ディフェクト検出信号ＳDDが“Ｈ”のときオフとなるスイッチ５０と、通常時に入力されるＬＰＦ信号ＳLPFの電圧値を保持するコンデンサ４９と、通常時にはＬＰＦ信号ＳLPFを前値信号ＳBFとしてそのまま出力すると共に、ディフェクト検出信号ＳDDが“Ｈ”のときコンデンサ４９に保持されている電圧値を前値信号ＳBFとして出力するバッファ４８とにより構成されている。
【００８２】
次に、ウォブリング信号抽出部２２’の動作を説明する。
【００８３】
プリ情報信号ＳPPにディフェクトが含まれていない通常時においては、ディフェクト検出器３５において生成される上記ウインド信号内にプリ情報信号ＳPPが含まれることとなるので、ＯＲ回路４７の出力（ディフェクト検出信号ＳDD）は常に“Ｌ”である。従って、当該通常時においては、スイッチ３７は入力されるプリ情報信号ＳPPをそのままＬＰＦ３０に出力することとなり、ウォブリング信号抽出部２２’は、上記第１実施形態のウォブリング信号抽出部２２と同様のウォブリング信号抽出動作を行い、ウォブリング信号ＳBを出力する。また、当該通常時には、前値ホールド回路３６内のスイッチ５０もオンとされているので、当該前値ホールド回路３６は入力されるＬＰＦ信号ＳLPFの電圧値を保持しつつそのまま前値信号ＳBFとしてスイッチ３７に出力している。
【００８４】
一方、検出時の誤差等によりディフェクトが含まれたプリ情報信号ＳPPが入力されると、ディフェクト検出器３５における上記ウインド信号内にプリ情報信号ＳPPが含まれないこととなるので、このときにはディフェクト検出信号ＳDDは“Ｈ”となり、従って、前値ホールド回路３６のスイッチ５０がオフとなり、これによりコンデンサ４９に保持されている、スイッチ５０がオフとなる直前のＬＰＦ信号ＳLPFの電圧値（ディフェクトが含まれる直前のプリ情報信号ＳPPに対応するＬＰＦ信号ＳLPFの電圧値）をバッファ４８を介して前値信号ＳBFとしてスイッチ３７に出力する。そして、このときスイッチ３７はディフェクト検出信号ＳDDが“Ｈ”となっていることから前値信号ＳBF側に切り替わっているので、入力されている前値信号ＳBFがＬＰＦ３０に出力される。その後は、リミットレベル生成器２５において当該入力されている前値信号ＳBFに基づいて上記上側リミット信号ＳUL及び下側リミット信号ＳWLが生成されてリミッタ２６に出力され、プリ情報信号ＳPPの値が制限されてノイズ信号ＳN1及びＳN2が除去されることとなる。
【００８５】
以上説明した構成及び動作以外のウォブリング信号抽出部２２’の構成及び動作については、上記ウォブリング信号抽出部２２の動作と同様であるので、細部の説明は省略する。
【００８６】
以上説明したように、第２実施形態のウォブリング信号抽出部２２’によれば、上記第１実施形態の情報記録装置Ｓの効果に加えて、ディフェクトを含むプリ情報信号ＳPPがピックアップ１０から出力されたとき、前値信号ＳBFをリミットレベル生成器２５に出力するので、ディフェクトのないＬＰＦ信号ＳLPFに基づいてウォブリング信号ＳBの抽出ができる。
【００８７】
なお、上記の各実施形態においては、一のシンクフレーム内に相当するグルーブトラック２のウォブリング周波数を単一のウォブリング周波数ｆ0とした場合について説明したが、これに限らず、一のシンクフレーム内に相当するグルーブトラック２のウォブリング周波数を複数種類とし、各シンクフレーム毎にウォブリング周波数の組合わせを変化させるように構成すれば、グルーブトラック２のウォブリングにより記録される情報として、上記回転制御情報だけでなく、上記アドレス情報をも含ませることができる。
【００８８】
より具体的には、例えば、一のシンクフレームに相当するグルーブトラック２の前半部分のウォブリング周波数を上記ウォブリング周波数ｆ0とし、このウォブリング周波数ｆ0のウォブリング信号を検出することによりスピンドルモータ１４の回転制御を行うと共に、一のシンクフレームに相当するグルーブトラック２の後半部分のウォブリング周波数を上記ウォブリング周波数ｆ0以外の二種類の周波数のいずれか一方とし、この二種類の周波数のシンクフレーム相互の組合わせを、含ませるべきアドレス情報に基づいて変化させることにより当該アドレス情報をウォブリング周波数の変化として記録することができるのである。そして、ディジタル情報ＳRRの記録の際には、このウォブリング周波数の組合わせ態様を検出することにより、予め記録されている上記アドレス情報を検出してディジタル情報ＳRRを記録するのである。
【００８９】
更に、上記の各実施形態は、ＤＶＤ−Ｒ１について本発明を適用した場合について説明したが、これに限らず、トラックのウォブリングにより記録制御のための情報を記録している記録媒体（例えば、テープ状記録媒体等）に対して、所定のディジタル情報を記録する場合に広く適用することができる。
【００９０】
【発明の効果】
以上説明したように、請求項１に記載の発明によれば、ピックアップ手段から出力される再生信号から移動制御情報のみを抽出して記録情報の記録を行うので、隣接トラック上に記録制御情報が記録されている記録媒体であっても、正確に抽出された移動制御情報に基づいて記録情報の記録を行うことができる。従って、記録情報の記録動作を正確に制御しつつ記録情報を確実に記録媒体に記録することができる。また、上記発明の効果に加えて、制限信号を用いて再生信号のレベルを制限することにより当該再生信号から記録制御情報に対応する信号を除去し、移動制御情報のみを抽出して記録情報の記録を行うので、確実に移動制御情報を抽出することができる。
【００９３】
請求項２に記載の発明によれば、請求項１に記載の発明の効果に加えて、雑音再生信号がピックアップ手段から出力されてとき、前再生信号を再生信号として情報抽出手段に出力するので、正確な移動制御情報の検出が雑音再生信号により影響を受けることを防止できる。
【００９４】
請求項３に記載の発明によれば、請求項１、又は２に記載の発明の効果に加えて、記録制御情報が記録位置情報を少なくとも含んでいるので、記録情報の記録時に、記録媒体の移動速度を正確に制御して記録することができると共に、記録情報を記録すべき記録媒体上の位置を正確に認識して記録することができる。
【００９５】
請求項４に記載の発明によれば、請求項１から３のいずれか一項に記載の発明の効果に加えて、記録媒体が円盤状記録媒体であると共に、移動制御情報が円盤状記録媒体の回転数を制御するための回転制御情報であるので、記録情報の記録時において、円盤状記録媒体の回転を正確に制御しつつ記録することができる。
【図面の簡単な説明】
【図１】実施形態のＤＶＤ−Ｒの構成の一例を示す斜視図である。
【図２】実施形態のＤＶＤ−Ｒにおける記録フォーマットの一例を示す図である。
【図３】情報記録装置の概要構成を示すブロック図である。
【図４】第１実施形態のウォブリング信号抽出部の細部構成等を示すブロック図であり、（ａ）はウォブリング信号抽出部の細部構成を示すブロック図であり、（ｂ）はリミットレベル生成器の細部構成を示すブロック図である。
【図５】リミットレベル生成器の構成を示す回路図及びリミッタの構成を示す回路図であり、（ａ）はリミットレベル生成器の構成を示す回路図であり、（ｂ）はリミッタの構成を示す回路図である。
【図６】第１実施形態のウォブリング信号抽出部の動作を示すタイミングチャートである。
【図７】第２実施形態のウォブリング信号抽出部の細部構成等を示すブロック図である。
【図８】ディフェクト検出器の構成を示す回路図及び前値ホールド回路の構成を示す回路図であり、（ａ）はディフェクト検出器の構成を示す回路図であり、（ｂ）は前値ホールド回路の構成を示す回路図である。
【符号の説明】
１…ＤＶＤ−Ｒ
２…グルーブトラック
３…ランドトラック
４…プリピット
５…色素膜
６…金蒸着面
７…保護層
１０…ピックアップ
１１…再生増幅器
１２…デコーダ
１３…プリピット信号デコーダ
１４…スピンドルモータ
１５…サーボ回路
１６…プロセッサ
１７…エンコーダ
１８…パワー制御回路
１９…レーザ駆動回路
２０…インターフェーズ
２１…ホストコンピュータ
２２、２２’…ウォブリング信号抽出部
２５…リミットレベル生成器
２６…リミッタ
２６Ａ、２６Ｄ…インピーダンス変換器
２６Ｂ、３０Ｃ、３０Ｄ、３１Ｄ、３１Ｅ、３１Ｍ、３１Ｎ、３１Ｏ、４３、４４…抵抗
２７…ＢＰＦ
２８…２値化器
３０…ＬＰＦ
３０Ａ…能動増幅器
３０Ｂ、３０Ｅ…コンデンサ
３１…上側レベルシフト回路
３２…下側レベルシフト回路
３１Ａ、３１Ｂ、３１Ｆ、３１Ｇ、３１Ｈ、３１Ｉ、３１Ｋ、３１Ｌ…トランジスタ
３１Ｃ…可変抵抗
３５…ディフェクト検出器
３６…前値ホールド回路
３７、５０…スイッチ
４０、４１…ウインドコンパレータ
４５、４６…ダイオード
４７…ＯＲ回路
４８…バッファ
４９…コンデンサ
Ｂ…光ビーム
Ｓ…情報記録装置
ＳＰ…光スポット
ＳPP…プリ情報信号
ＳB…ウォブリング信号
ＳRR…ディジタル情報
ＳRE…変調信号
ＳD…記録信号
ＳDT…検出信号
ＳDL…レーザ駆動信号
ＳOT…再生信号
ＳP…増幅信号
ＳDM…復調信号
ＳSD…サーボ復調信号
ＳPD…復調プリピット信号
ＳSP…ピックアップサーボ信号
ＳSS…スピンドルサーボ制御信号
ＳDTT…抽出信号
ＳUL…上側リミット信号
ＳWL…下側リミット信号
ＳPL…制限プリ情報信号
ＳB…ウォブリング信号
ＳBF…前値信号
ＳLPF…ＬＰＦ信号
ＳDD…ディフェクト検出信号
【図１】
0003635514.tif 000002
【図２】
0003635514.tif 000003
【図３】
0003635514.tif 000004
【図４】
0003635514.tif 000005
【図５】
0003635514.tif 000006
【図６】
0003635514.tif 000007
【図７】
0003635514.tif 000008
【図８】
0003635514.tif 000009